(57)【要約】【課題】階段などの急な傾斜があるところでも被搬送者を運びやすく利便性の高い担架を提供する。【解決手段】担架１００は、２本の棒１１０の間に被搬送者ＰＴを乗せるためのシート状部材１２０を張って構成され、シート状部材１２０の幅方向の両側部は、２本の棒１１０に連結しており、シート状部材１２０の長さ方向の両端部の相対距離が変わることにより、シート状部材１２０が緊張してベッド状になる第１状態と、シート状部材１２０が弛んで臀部ＨＰを収容するための臀部収容部１２２を形成する第２状態と、に変形可能である。このような構成により、階段などの急な傾斜があるところでも被搬送者ＰＴを運びやすく利便性の高い担架１００が提供される。【選択図】図２
0003213262.tif 000002
【実用新案登録請求の範囲】
【請求項１】
２本の棒状部材の間に被搬送者を乗せるためのシート状部材を張って構成される担架において、
前記シート状部材の幅方向の両側部は、前記２本の棒状部材に連結しており、
前記シート状部材の長さ方向の両端部の相対距離が変わることにより、
前記シート状部材が緊張してベッド状になる第１状態と、
前記シート状部材が弛んで臀部を収容するための臀部収容部を形成する第２状態と、
に変形可能であることを特徴とする、担架。
【請求項２】
前記シート状部材の幅方向の両端部は、前記臀部収容部に対応する位置では前記２本の棒状部材に挿通されておらず、前記臀部収容部に対応する位置以外では前記２本の棒状部材に挿通されていることを特徴とする、請求項１に記載の担架。
【請求項３】
前記２本の棒状部材は、長さ方向に伸縮するための伸縮機構を備え、
前記伸縮機構により、前記シート状部材の長さ方向の両端部の相対距離が変わることを特徴とする、請求項１又は２に記載の担架。
【請求項４】
前記シート状部材は前記臀部収容部に対応する部分が、前記臀部収容部に対応する位置以外の部分よりも硬度の低い素材又は硬度の高い素材で構成されていることを特徴とする、請求項１〜３のいずれかに記載の担架。
【考案の詳細な説明】
【技術分野】
【０００１】
本考案は、担架に関する。
【背景技術】
【０００２】
従来、病人や負傷者（被搬送者）を乗せて運ぶ道具として、２本の棒の間に被搬送者を乗せるためのシート状部材を張った担架が知られている（例えば、非特許文献１参照）。
【先行技術文献】
【非特許文献】
【０００３】
【非特許文献１】インターネット＜ＵＲＬ：https://goo.gl/1Du1NE＞
【考案の概要】
【考案が解決しようとする課題】
【０００４】
しかしながら、従来の担架では、平らに張った状態のシート状部材に被搬送者を寝かせて搬送するため、平坦なところでは問題なく運べるが、階段などの急な傾斜があるところでは、被搬送者の体が滑り危険なことがある。このため、被搬送者の体が滑らないように水平を保つように持ったりしなければならず、運びづらいという問題があった。
【０００５】
そこで本考案は、このような問題に鑑みてなされたものであり、その目的とするところは、階段などの急な傾斜があるところでも被搬送者を運びやすく利便性の高い担架を提供することにある。
【課題を解決するための手段】
【０００６】
上記課題を解決するために、本考案によれば、２本の棒状部材の間に被搬送者を乗せるためのシート状部材を張って構成される担架において、前記シート状部材の幅方向の両側部は、前記２本の棒状部材に連結しており、前記シート状部材の長さ方向の両端部の相対距離が変わることにより、前記シート状部材が緊張してベッド状になる第１状態と、前記シート状部材が弛んで臀部を収容するための臀部収容部を形成する第２状態と、に変形可能であることを特徴とする、担架が提供される。
【０００７】
かかる構成によれば、第１状態においてはベッド状の通常の担架として利用できる。そして、第２状態においては、臀部収容部に病人や負傷者（被搬送者）の臀部を収容することによって、被搬送者の体が滑りにくくなり、階段などの急な傾斜があるところでも被搬送者を運びやすい。このように、必要に応じて、ベッド状態になる第１状態と、臀部収容部が形成される第２状態とに使い分けることができ、利便性の高い担架を提供することができる。
【０００８】
本考案は、さまざまな応用が可能である。本考案の応用例は、任意に組み合わせることが可能である。
【０００９】
本考案において、シート状部材を弛ませるための方法には様々な方法を採用することができるが、例えば、前記シート状部材の幅方向の両端部は、前記臀部収容部に対応する位置では前記２本の棒状部材に挿通されておらず、前記臀部収容部に対応する位置以外では前記２本の棒状部材に挿通されている構成としてもよい。このような構成によれば、シート状部材の長さ方向の両端部の相対距離が短くなったときに、シート状部材が棒状部材に挿通されていない箇所で、シート状部材を弛ませることができる。このようにして、簡易な構成で、臀部収容部の位置や幅を適切にすることができる。
【００１０】
また、前記２本の棒状部材は、長さ方向に伸縮するための伸縮機構を備え、前記伸縮機構により、前記シート状部材の長さ方向の両端部の相対距離が変わるようにしてもよい。かかる構成によれば、簡易な方法で、シート状部材の長さ方向の両端部の相対距離を変えることができ、シート状部材を弛ませることができる。
【００１１】
前記シート状部材は前記臀部収容部に対応する部分が、前記臀部収容部に対応する位置以外の部分よりも硬度の低い素材又は硬度の高い素材で構成されているようにしてもよい。高度の低い素材で構成すれば、シート状部材の長さ方向の両端部の相対距離を変えると、シート状部材の臀部収容部に対応する部分が容易に変形し、臀部収容部の形成が容易になる。また、硬度の高い素材で構成すれば、臀部収容部の耐久性が高まる。
【考案の効果】
【００１２】
本考案によれば、階段などの急な傾斜があるところでも運びやすく利便性の高い担架が提供される。本考案のその他の効果については、以下の考案を実施するための形態の項でも説明する。
【図面の簡単な説明】
【００１３】
【図１】担架１００の全体構成を概略的に示す図であり、（ａ）は平面図であり、（ｂ）は側面図であり、（ｃ）は（ａ）のＡ−Ａ断面図である。
【図２】臀部収容部を形成した状態を示す図であり、（ａ）は平面図であり、（ｂ）は側面図であり、（ｃ）は（ａ）のＢ−Ｂ断面図である。
【図３】棒１１０の伸縮機構を示す図である。
【考案を実施するための形態】
【００１４】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１５】
本考案の一実施形態について説明する。図１〜図３を参照しながら説明する。図１は、担架１００の全体構成を概略的に示す図である。図１の（ａ）は平面図であり、（ｂ）は側面図であり、（ｃ）は（ａ）のＡ−Ａ断面図である。図２は、臀部収容部を形成した状態を示す図であり、図２の（ａ）は平面図であり、（ｂ）は側面図であり、（ｃ）は（ａ）のＢ−Ｂ断面図である。図３は、棒の伸縮機構を示す図である。
【００１６】
本実施形態にかかる担架１００は、図１に示したように、２本の棒１１０の間に病人や負傷者（被搬送者ＰＴ）を乗せるためのシート状部材１２０を張って構成されるものである。担架１００において、シート状部材１２０の幅方向の両側部は、２本の棒１１０に連結しており、シート状部材１２０が緊張してベッド状になる第１状態と、シート状部材１２０が弛んで臀部ＨＰを収容するための臀部収容部１２２を形成する第２状態と、に変形可能であることを特徴とする。以下、各構成要素について詳細に説明する。
【００１７】
（棒１１０）
棒１１０は、後述するように伸縮可能な棒状部材の一例であり、被搬送者ＰＴを乗せるためのシート状部材１２０を張るとともに、両端部を持って運ぶためのものである。棒１１０は、図１（ａ）に示したように、間隔をあけて２本設けられており、間に被搬送者ＰＴを乗せるためのシート状部材１２０が張られている。棒１１０にはシート状部材１２０の幅方向の両側部が連結している。なお、２本の棒１１０は同じ構成とすることができる。以下、棒１１０と言うときには、特に明示しないときは、２本の棒１１０に共通の内容とする。
【００１８】
棒１１０の底部には、図１（ｂ）に示したように、担架１００を床に載置したときの便宜のために、脚部１１６が適宜設けられる。なお、棒１１０の両端部には、これを握るためのグリップが設けられていてもよい。
【００１９】
棒１１０は、図１（ｃ）に示したように、固定側棒１１２と移動側棒１１４とが相対移動可能に連結されて伸縮可能な伸縮機構を備えている。移動側棒１１４が固定側棒１１２に対して移動することで、シート状部材１２０が緊張してベッド状になる第１状態（図１）と、シート状部材１２０が弛んで臀部収容部１２２を形成する第２状態（図２）とに変形可能である。
【００２０】
移動側棒１１４は固定側棒１１２よりも太く、移動側棒１１４の内部に固定側棒１１２を収容して固定することが可能な構成となっている。担架１００がベッド状になる第１状態のときには、移動側棒１１４は固定側棒１１２に対して、図１（ｃ）に示したように、第１位置Ｐ１に移動し、シート状部材１２０が弛んで臀部収容部１２２を形成する第２状態のときには、図２（ｃ）に示したように、第２位置Ｐ２に移動する。棒１１０は、このような伸縮機構により伸縮可能である。
【００２１】
伸縮機構の具体的な構成としては、例えば図３に示したようなロック機構を採用することができる。図３のロック機構は、固定側棒１１２に突出及び埋没可能な突起１１２ａが設けられ、移動側棒１１４に孔１１４ａ、１１４ｂが設けられる。図３（ａ）では、突起１１２ａが孔１１４ａに嵌まっており、固定側棒１１２と移動側棒１１４との相対移動がロックされている。この状態で突起１１２ａを指で押して埋没させると、移動側棒１１４が固定側棒１１２に対して相対移動可能となる。そして、突起１１２ａを孔１１４ｂの位置まで移動させると、突起１１２ａが弾性力で突出して孔１１４ｂに嵌まる。この状態も固定側棒１１２と移動側棒１１４との相対移動がロックされている。このようにして、棒１１０を縮めることができる。棒１１０を伸ばすときはこの逆の操作を行う。
【００２２】
なお上記は一例に過ぎず、固定側棒１１２と移動側棒１１４とを相対移動させる構成は任意の構成を採用することができる。例えば、移動側棒１１４を固定側棒１１２に対して回転させる方向によって、ねじ込んで固定したり、緩めたりする機構であってもよい。また、固定側棒１１２と移動側棒１１４に設けられる係止機構や、固定側棒１１２と移動側棒１１４とが嵌り合う凹凸機構、固定側棒１１２と移動側棒１１４とに連通するネジ穴を設けネジで連結する機構であってもよい。
【００２３】
以下、棒１１０の各部のサイズの一例を説明する。固定側棒１１２の長さは１７００ｍｍであり、移動側棒１１４の長さは８５０ｍｍである。移動側棒１１４が移動する第１位置Ｐ１から第２位置Ｐ２までの長さは１５０ｍｍである。棒１１０が伸びてベッド状態にあるときは、図１に示したように、移動側棒１１４は第１位置Ｐ１にあり、棒１１０の全長が２２５０ｍｍになる。第１位置Ｐ１において、固定側棒１１２と移動側棒１１４とが重なり合う長さは３００ｍｍである。棒１１０の端部から脚部１１６までの長さは３５０ｍｍである。
【００２４】
棒１１０が縮んで第２状態にあるときは、図２に示したように、移動側棒１１４が第２位置Ｐ２にあり、固定側棒１１２と移動側棒１１４とが重なり合う長さは４５０ｍｍになる。第２状態における棒１１０の全長は２１００ｍｍになる。
【００２５】
以上、棒１１０について説明した。次にシート状部材１２０について説明する。
【００２６】
（シート状部材１２０）
シート状部材１２０は、２本の棒１１０に張られて被搬送者ＰＴを乗せるためのものである。シート状部材１２０は、図１（ａ）に示したように、幅方向の両端部が、臀部収容部１２２に対応する位置では切り欠き部１２４が設けられて２本の棒１１０に挿通されておらず、臀部収容部１２２に対応する位置以外では２本の棒１１０に挿通されている。
【００２７】
シート状部材１２０の長さ方向の両端部は２本の棒１１０に固定されており、２本の棒１１０が伸縮することによって、シート状部材１２０の長さ方向の両端部の相対距離が変わる。よって、シート状部材１２０は、図１に示したように、シート状部材１２０が緊張してベッド状になる第１状態と、図２に示したように、シート状部材１２０が弛んで臀部ＨＰを収容するための臀部収容部１２２を形成する第２状態と、に変形可能である。
【００２８】
シート状部材１２０が第２状態に変形するときには、切り欠き部１２４が２本の棒に挿通しておらず、変形が容易になっているため、臀部収容部１２２が形成され易くなっている。臀部収容部１２２は、少なくとも臀部ＨＰが収容され、被搬送者ＰＴが座ったような状態になる大きさと深さであればよく、臀部ＨＰのみを収容する大きさや深さでもよく、背中から臀部ＨＰにかけて収容する大きさや深さでもよい。第２状態では、被搬送者ＰＴは、担架１００の上に座るような状態になる。
【００２９】
シート状部材１２０の切り欠き部１２４に隣接して、臀部収容部１２２の補強部材１３０が設けられている。補強部材１３０は、臀部収容部１２２に臀部ＨＰを収容した状態で被搬送者ＰＴの運ぶ際に、被搬送者ＰＴとの摩擦によって臀部収容部の端部が破損することを防止したり、臀部収容部１２２の形状が崩れたりすることを防止する。その他、一般的な担架に備えられる構成を適宜備えることができる。
【００３０】
以下、シート状部材１２０の各部のサイズの一例を説明する。以下の説明では、２本の棒１１０に沿ったシート状部材１２０の各部のサイズを示す。ベッド状になる第１状態のときは、図１に示したように、シートが完全に伸びた状態であり、シート状部材１２０の長さは１７５０ｍｍである。このうち、シート状部材１２０の被搬送者ＰＴの下半身が載せられる側の端部から切り欠き部１２４までの長さが７００ｍｍであり、切り欠き部１２４の長さＬ１が６００ｍｍである。切り欠き部１２４からシート状部材１２０の上記とは反対側の端部までが４５０ｍｍである。
【００３１】
臀部収容部１２２が形成された第２状態にあるときは、切り欠き部１２４の長さＬ２が４５０ｍｍに短くなる。このように、シート状部材１２０が第１状態から第２状態に切り替わると、切り欠き部の長さがＬ１からＬ２になり、１５０ｍｍ短くなる。よって、臀部収容部１２２が垂れ下がる。
【００３２】
以上、担架１００の構成について説明した。次に、担架１００の使用方法について説明する。
【００３３】
担架１００には、図１（ｂ）に示したように、補強部材１３０を境として、シート状部材１２０の臀部収容部１２２側に上半身が載せられ、反対側に下半身が載せられるように、被搬送者ＰＴが載せられる。平坦な場所では、２本の棒は伸長した状態とされる。これにより、シート状部材１２０は緊張した第１状態になり、被搬送者ＰＴは緊張したシート状部材１２０の上に載せられて運ばれる。
【００３４】
坂道や階段を運ぶ場合、図２（ｂ）に示したように、２本の棒１１０は縮められた状態とされる。これにより、シート状部材１２０の長さ方向の両端部の距離が短くなり、シート状部材１２０が弛む。よって、臀部収容部１２２が形成される。臀部収容部１２２には、シート状部材１２０に載せられた被搬送者ＰＴの臀部ＨＰ及び背中の一部が収容される。よって、被搬送者ＰＴは、シート状部材１２０に座ったような状態になるため、坂道や階段など担架１００を斜めにして運ぶときでも、臀部収容部１２２に臀部ＨＰが引っかかるため、被搬送者ＰＴが担架１００からずり落ちることはない。
【００３５】
また、エレベーターなど狭い箇所を移動する際にも、担架１００を斜めにすることで、担架１００の水平方向の幅を小さくすることができる。狭い箇所を移動する際にも被搬送者ＰＴを乗せたまま安全に搬送することができる。
【００３６】
（本実施形態の効果）
以上説明したように、本実施形態によれば、第１状態においてはベッド状の通常の担架１００として利用できる。そして、第２状態においては、臀部収容部１２２に病人や負傷者（被搬送者ＰＴ）の臀部ＨＰを収容することによって、被搬送者ＰＴの体が滑りにくくなり、階段などの急な傾斜があるところでも被搬送者ＰＴを運びやすい。このように、必要に応じて、ベッド状態になる第１状態と、臀部収容部１２２が形成される第２状態とに使い分けることができ、利便性の高い担架を提供することができる。
【００３７】
また、本実施形態では、シート状部材１２０の幅方向の両端部は、臀部収容部１２２に対応する位置では切り欠き部１２４が設けられて２本の棒１１０に挿通されておらず、臀部収容部１２２に対応する位置以外では２本の棒１１０に挿通されている構成とされている。このような構成によれば、シート状部材１２０の長さ方向の両端部の相対距離が短くなったときに、シート状部材１２０が２本の棒１１０に挿通されていない箇所で、シート状部材１２０を弛ませることができる。このようにして、簡易な構成で、臀部収容部１２２の位置や幅を適切にすることができる。
【００３８】
また、２本の棒１１０は、長さ方向に伸縮するための伸縮機構を備え、伸縮機構により、シート状部材１２０の長さ方向の両端部の相対距離が変わるように構成されている。かかる構成によれば、簡易な方法で、シート状部材１２０の長さ方向の両端部の相対距離を変えることができ、シート状部材１２０を弛ませることができる。
【００３９】
なお、シート状部材１２０の上半身が載せられる側を、２本の棒１１０に対して固定した。このような構成にすると、シート状部材１２０の上半身が載せられる部分は固定されるので、シート状部材１２０が弛んだときに、全体に弛みが生じることなく臀部収容部１２２側のみが弛む。このため、臀部収容部１２２が形成され易くなるとともに、固定されたシート状部材１２０が上半身をしっかり支えることができる。
【００４０】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００４１】
例えば、上記実施形態では、シート状部材１２０の幅方向の両端部は、臀部収容部１２２に対応する位置では切り欠き部１２４が設けられて２本の棒１１０に挿通されておらず、臀部収容部１２２に対応する位置以外では２本の棒１１０に挿通されている構成としたが、本考案はこの例に限定されない。シート状部材の長さ方向の両端部の相対距離が変わることにより臀部収容部が形成される任意の構成を採用することができる。例えば、切り欠き部１２４に代えてメッシュ構造にしたり、変形しやすい素材にしたりして、２本の棒に挿通させてもよい。また、臀部収容部及び切り欠き部に対応する部分のシート状部材そのものを変形しやすい素材で構成したりしてもよい。
【００４２】
また、上記実施形態では、棒１１０の伸縮機構として、固定側棒１１２に突出及び埋没可能な突起１１２ａが設けられ、移動側棒１１４に孔１１４ａ、１１４ｂが設けられ、突起１１２ａが孔１１４ａに嵌まっており、固定側棒１１２と移動側棒１１４との相対移動がロックされるロック機構としたが、本考案はこの例に限定されない。２本の棒状部材は、長さ方向に伸縮するための任意の伸縮機構を備え、伸縮機構により、シート状部材の長さ方向の両端部の相対距離が変わる構成であればよい。
【００４３】
また、上記実施形態では、２本の棒１１０の伸縮によって臀部収容部１２２を形成したが、本考案はこの例に限定されない。臀部収容部１２２の形成は必ずしも２本の棒１１０の伸縮によらなくてもよい。例えば、２本の棒状部材には、それぞれ、シート状部材の長さ方向のいずれかの端部を係止する係止部を、２本の棒状部材の長さ方向に２か所設け、シート状部材の長さ方向のいずれかの端部が、２か所の係止部のいずれかに係止されることにより、シート状部材の長さ方向の両端部の相対距離が変わることによって、臀部収容部を形成するようにしてもよい。
【００４４】
また、上記実施形態では、２本の棒１１０にシート状部材１２０の幅方向の両端部を挿通させて担架１００を構成したが、本考案はこの例に限定されない。シート状部材の長さ方向の両端部の相対距離が変わることにより臀部収容部が形成される構成であればよい。例えば、臀部収容部以外の部分のシート状部材の下に、板状のものを設けたりしてもよい。
【００４５】
また、上記実施形態では、シート状部材１２０全体を同じ素材で構成したが、本考案はこの例に限定されない。シート状部材は臀部収容部に対応する部分が、臀部収容部に対応する位置以外の部分よりも硬度の低い素材又は硬度の高い素材で構成されていてもよい。高度の低い素材で構成すると、臀部収容部が変形しやすくなる。また、硬度の高い素材で構成すると、臀部収容部の耐久性が高まる。
【００４６】
以上説明した実施形態・応用例・変形例等は、適宜組み合わせて実施することができる。
【産業上の利用可能性】
【００４７】
本考案は、担架に利用可能である。
【符号の説明】
【００４８】
１００  担架
１１０  棒
１１２  固定側棒
１１４  移動側棒
１１６  脚部
１２０  シート状部材
１２２  臀部収容部
１２４  切り欠き部
１３０  補強部材
ＰＴ  被搬送者
ＨＰ  臀部
Ｐ１  第１位置
Ｐ２  第２位置
【図１】
0003213262.tif 000003
【図２】
0003213262.tif 000004
【図３】
0003213262.tif 000005